(57)【要約】  パラメータ組によって表される音を復号化するよう音復号化装置（１）が構成される。各組は、音の正弦成分を表す正弦パラメータ（ＳＰ）と、音の更なる成分（雑音成分及び／又は過渡成分など）を表す更なるパラメータ（NP、TP）とを備える。上記装置が、出力チャンネル（L、R）毎に別個の正弦成分生成装置（１７、１８）を備える一方、更なる成分生成器装置（２０、２１）はチャンネル間で共有される。
2009500669.tif 000002
【特許請求の範囲】
【請求項１】
パラメータ組によって表される音を生成する装置であって、各組は、前記音の正弦成分を表す正弦パラメータ（SP）と、前記音の更なる成分を表す更なるパラメータ（NP,TP）とを備え、
第１の出力チャンネル（L）のみの正弦成分を生成する第１の正弦成分生成装置と、
第２の出力チャンネル（R）のみの正弦成分を生成する第２の正弦成分生成装置と、
前記第１の出力チャンネル（L）及び前記第２の出力チャンネル（R）の更なる成分を生成する少なくとも１つの更なる成分生成装置と、
前記更なる成分を前記第１の出力チャンネル（L）の正弦成分及び前記第２の出力チャンネル（R）の正弦成分それぞれと合成する第１の合成装置及び第２の合成装置とを備える装置。
【請求項２】
請求項1記載の装置であって、
第１のタイプの更なる成分、及び第２の別のタイプの更なる成分それぞれを生成する２つの更なる成分生成装置と、
前記２つの更なる成分生成装置によって生成される更なる成分を合成する少なくとも１つの更なる合成装置とを備える装置。
【請求項３】
請求項２記載の装置であって、第１の更なる成分生成装置は過渡成分を生成するよう構成され、第２の更なる成分生成装置は雑音成分を生成するよう構成される装置。
【請求項４】
請求項１記載の装置であって、前記更なる成分を重み付けする第１の重み付け装置及び第２の重み付け装置を更に備える装置。
【請求項５】
請求項１記載の装置であって、正弦成分生成装置は変換ドメイン生成装置であり、前記更なる成分生成装置は時間ドメイン生成装置である装置。
【請求項６】
請求項５記載の装置であって、正弦パラメータ（ＳＰ）を変換ドメインに変換する変換装置と、前記変換された正弦パラメータに方向情報（ＰＳＳ）を加えて前記第１の出力チャンネル（Ｌ）及び前記第２の出力チャンネル（Ｒ）を生成する方向制御装置とを更に備える装置。
【請求項７】
請求項１記載の装置であって、生成装置は、複数のパラメータ組を受信するよう構成され、前記組が別々の入力チャンネルと関連付けられる装置。
【請求項８】
請求項１記載の装置であって、少なくとも３つの出力チャンネルを生成し、好ましくは６つの出力チャンネルを生成するよう構成される装置。
【請求項９】
ＭＩＤＩ合成器である、請求項１記載の装置。
【請求項１０】
パラメトリック音復号器である、請求項１記載の装置。
【請求項１１】
請求項1記載の装置を備えるサウンド・システム。
【請求項１２】
パラメータ組によって表される音を生成する方法であって、各組は、前記音の正弦成分を表す正弦パラメータ（SP）と、前記音の更なる成分を表す更なるパラメータ（NP,TP）とを備え、
第１のチャンネル（Ｌ）のみの正弦音成分を生成する工程と、
第２のチャンネル（Ｒ）のみの正弦音成分を生成する工程と、
前記第１のチャンネル（Ｌ）及び前記第２のチャンネル（Ｒ）の更なる音成分を生成する工程と、
前記更なる音成分を前記第１のチャンネル（Ｌ）の正弦成分及び前記第２のチャンネル（Ｒ）の正弦成分それぞれと合成する工程とを備える方法。
【請求項１３】
請求項12記載の方法であって、
第１のタイプの更なる成分及び第２の別のタイプの更なる成分を生成する工程と、
２つのタイプの更なる成分を合成する工程とを更に備える方法。 
【請求項１４】
請求項１３記載の方法であって、前記第１のタイプの更なる成分は過渡成分を含み、前記第２のタイプの更なる成分は雑音成分を含む方法。
【請求項１５】
請求項１２記載の方法であって、前記更なる成分を重み付ける工程を更に備える方法。
【請求項１６】
請求項１２記載の方法であって、前記正弦成分が変換ドメインにおいて生成され、前記更なる成分が時間ドメインにおいて生成される方法。
【請求項１７】
請求項１６記載の方法であって、正弦パラメータ（ＳＰ）を前記変換ドメインに変換する工程と、方向情報（ＰＳＳ）を前記変換正弦パラメータに加えて第１の出力チャンネル（Ｌ）及び第２の出力チャンネル（Ｒ）を生成する工程とを更に備える方法。
【請求項１８】
コンピュータ・プログラムであって、請求項12記載の方法を行うコンピュータ・プログラム。
【発明の詳細な説明】
【技術分野】
【０００１】
本発明は、ステレオ復号器などのパラメトリック・マルチチャンネル復号器に関する。更に、本発明は特に、パラメータ組によって表される音を合成する装置及び方法に関する。各組は、音の正弦成分を表す正弦パラメータや、その他の成分を表すその他のパラメータを備える。
【背景技術】
【０００２】
パラメータ組によって音を表すことは周知である。いわゆるパラメトリック符号化手法を用いて、一連のパラメータによって音を表して効率的に音を符号化する。適切な復号器は、一連のパラメータを用いて元の音を実質的に再構成することができる。一連のパラメータは組に分けることができる。各組は、（人間の）話者や楽器などの個々の音源（サウンド・チャンネル）に対応する。
【０００３】
一般的なMIDI（楽器ディジタル・インタフェース）プロトコルは、楽器の命令組によって音楽を表すことを可能にする。各命令は特定の楽器に割り当てられる。各楽器は、１つ又は複数のサウンド・チャンネル（MIDIでは「音声」と呼ばれている）を用いることが可能である。同時に用いることができるサウンド・チャンネル数は、ポリフォニー数又はポリフォニーと呼ばれている。MIDI命令は効率的に送信及び／又は記憶することが可能である。
【０００４】
合成器は通常、音定義データ（例えば、サウンド・バンク又はパッチ・データ）を含む。サウンド・バンクでは、楽器の音のサンプルが音データとして記憶される一方、パッチ・データが、音生成器の制御パラメータを規定する。
【０００５】
MIDI命令は合成器に、サウンド・バンクから音データを取り出させ、そのデータによって表される音を合成させる。前述の音データは、通常のウェーブテーブル合成の場合と同様に、実際の音サンプル（すなわち、ディジタル音（波形））であり得る。しかし、音サンプルは通常、大量のメモリを必要とする。これは、比較的小型の機器（特に、携帯（セルラー）電話機などの、ハンドヘルド型の消費者向機器）では実現可能でない。
【０００６】
あるいは、音サンプルはパラメータ（振幅、周波数、位相、及び／又はエンベロープ形状パラメータを含み得るものであり、音サンプルの再構成を可能にする）によって表すことができる。音サンプルのパラメータの記憶は通常、実際の音サンプルよりもずっと少ないメモリを必要とする。  しかし、音の合成が計算量的に高負担になり得る。このことは、種々のサウンド・チャンネル（ＭＩＤＩにおける「音声」）を表す多くのパラメータ組を同時に合成しなければならない場合（高度のポリフォニー）に特にあてはまる。計算量の負担は通常、合成する対象のチャンネル（「音声」）数に伴って（すなわち、ポリフォーニーの度合いに伴って）線形的に増加する。このことは、ハンドヘルド型機器において前述の手法を用いることを困難にする。
【０００７】
「Low  Complexity  Parametric  Stereo  Coding（Audio  Engineering  Society  Convention  Paper  No.  6073,  Berlin  (Germany),  May  2004」と題する、E.  Schuijers、J.  Breebaart、H.  Purnhagen及びJ.  Engdegardによる論文には、パラメトリック・オーディオ復号器が開示されている(図８)。オーディオ信号は、パラメータによって表す過渡成分、正弦成分及び雑音成分に分解されている。オーディオ信号のこのパラメトリック表現をサウンド・バンクに記憶することができる。パラメトリック復号器（又は合成器）はこのパラメトリック表現を用いて元のオーディオ入力を再構成する。
【０００８】
従来技術のパラメトリック符号器では、正弦成分、過渡成分及び雑音成分は方向処理を受ける。すなわち、ステレオ・パラメータを用いて、単一のチャンネルから２つの出力チャンネル（ステレオ・システムにおける左及び右）を生成する。この方向処理は変換ドメイン（周波数又はＱＭＦ（直交ミラー・フィルタ）など）で実行される。これにより、方向処理の効率が大きく増加するからである。しかし、変換ドメインにおいて正弦成分、過渡成分及び雑音成分の方向処理を実行することができるために、前述の音成分を変換ドメインにおいて合成する必要がある。このことが音声合成の複雑度をかなり増大させることが明らかになっている。
【０００９】
周波数ドメイン又はＱＭＦドメインにおける音の合成に伴う計算量の負担は、変換ドメインにおける過渡成分及び雑音成分の合成が非効率的であり、音声合成の複雑度をかなり増大させることによってもたらされることを本願の発明者は認識している。
【発明の開示】
【発明が解決しようとする課題】
【００１０】
本発明の目的は、従来技術の前述及びその他の課題を解決し、音の合成を大いに単純化することを可能にするパラメータ組によって表す音を生成する装置を提供することである。
【課題を解決するための手段】
【００１１】
よって、本発明は、パラメータ組によって表される音を生成する装置を提供する。各組は、音の正弦成分を表す正弦パラメータと、音の更なる成分を表す更なるパラメータとを備える。装置は、
第１の出力チャンネルのみの正弦成分を生成する第１の正弦成分生成装置と、
第２の出力チャンネルのみの正弦成分を生成する第２の正弦成分生成装置と、
第１の出力チャンネル及び第２の出力チャンネルの更なる成分を生成する少なくとも１つの更なる成分生成装置と、
更なる成分を第１の出力チャンネルの正弦成分及び第２の出力チャンネルの正弦成分それぞれと合成する第１の合成装置及び第２の合成装置とを備える。
【００１２】
出力チャンネル毎に別個の正弦成分生成装置を提供するが、共有された更なる成分の生成装置を提供することによって、生成装置の数が削減され、よって、装置の複雑度も削減される。本発明の装置では、正弦成分が、チャンネル毎に個々に生成される一方、雑音成分及び／又は過渡成分などの更なる成分は、出力チャンネルに共通の生成装置によって生成される。よって、本発明の装置は、従来技術の装置よりも少ない少なくとも１つの生成装置を有する。
【００１３】
本発明は、正弦音成分が最も多くの方向情報、又は少なくとも最も詳細な方向情報を含み、特に、雑音成分は、非常に少ない方向情報又は非常に粗い方向情報を含むという洞察に基づいている。これは、同じ雑音成分を両方の（又は全ての）チェンネルに用いることを可能にする。前述の共有された雑音成分（一般に、更なる成分）を、適切な合成装置において、チャンネル固有の正弦成分と合成して、特定のチャンネル成分を示す正弦成分及び汎用雑音成分を示す正弦成分を含む出力チャンネルを生成する。
【００１４】
好ましい実施例では、本発明の装置は、
第１のタイプの更なる成分及び第２の別のタイプの更なる成分それぞれを生成する２つの更なる成分の生成装置と、 
２つの更なる成分生成装置によって生成される更なる成分を合成する少なくとも１つの更なる合成装置とを更に備える。
【００１５】
更なる成分の２つの生成装置を提供することによって、出力チャンネルに共通の雑音成分及び過渡成分（並びに／又は更なる成分）を供給することができる。その結果、２つの（又は複数の）雑音生成装置及び２つの（又は複数の）過渡生成装置が避けられる。したがって、この実施例では、効果的には、過渡成分を生成するよう第１の更なる成分生成装置を構成することができ、効果的には、雑音成分を生成するよう第２の更なる成分生成装置を構成することができる。
【００１６】
好ましくは、装置は、更なる成分を重み付けする第１の重み付け装置及び第２の重み付け装置を更に備える。これによって、出力チャンネル毎の、共通の更なる成分のレベルが変動し、よって、より現実的な音声再生がもたらされる。
【００１７】
特に効果的な実施例では、正弦成分生成装置は変換ドメイン生成装置であり、更なる成分生成装置は時間ドメイン生成装置である。したがって、この実施例では、正弦成分のみが当該変換（例えば、周波数）ドメインにおいて合成される。この合成は非常に効率的に実行することが可能である。雑音成分や過渡成分などの更なる成分は時間ドメインで合成され、よって、前述の成分の非効率的な変換ドメイン合成が避けられる。その結果、非常に大きな複雑度削減が得られる。
【００１８】
この特に効果的な実施例は好ましくは、正弦パラメータを変換ドメインに変換する変換装置と、変換された正弦パラメータに方向情報を加えて第１の出力チャンネル及び第２の出力チャンネルを生成する方向制御装置とを更に備える。この好ましい実施例は、パラメトリック復号器として用いるうえで特に適している。
【００１９】
別の効果的な実施例では、生成装置は、複数の組のパラメータを受信するよう構成される。上記組は別々の入力チェンネルと関連付けられる。この実施例は、合成器（例えば、MIDI合成器）として用いるうえで特に適している。
【００２０】
本発明の装置は、２つの出力チャンネルのみを参照して前述してきたが、本発明はそのように限定されるものでない。更に、本発明の装置は特に、少なくとも３つの出力チャンネル（好ましくは、６つの出力チャンネル）を生成するよう構成することができる。６つの出力チャンネルを、いわゆる5.1サウンド・システム（５つの通常音出力チャンネル（左前方、左後方、右前方、右後方、及び中央）、及びベースの生成のためのサブウーファ）において用いることができる。本発明の装置は、3つ以上の出力チャンネルに構成した場合、少なくとも３つの正弦成分生成装置と、２つ以下の更なる成分生成装置とを有する。好ましくは、装置は、更なる成分タイプ毎に単一の共有された更なる成分生成装置をなお有する。上記タイプは例えば、雑音又は過渡である。
【００２１】
前述の通り、本発明の装置は効果的には、MIDI合成器又はパラメトリック復号器（パラメトリック・ステレオ若しくはマルチチャンネル復号器など）であり得る。
【００２２】
サウンド・システムは効果的には、前述の装置を備える。前述のサウンド・システムは、消費者向サウンド・システム（アンプ、及びスピーカや同様なトランスデューサを含む）であり得る。他のサウンド・システムは、楽器、電話機器（携帯（セルラ）電話機など）、ポータブル・オーディオ・プレイヤ（MP3プレイヤやAACプレイヤなど）、コンピュータ・サウンド・システム等を含み得る。
【００２３】
本発明は、パラメータ組によって表される音を生成する方法も提供する。各組は、音の正弦成分を表す正弦パラメータと、音の更なる成分を表す更なるパラメータとを備える。方法は、
第１のチャンネルのみの正弦音成分を生成する工程と、
第２のチャンネルのみの正弦音成分を生成する工程と、
第１のチャンネル及び第２のチャンネルの更なる音成分を生成する工程と、
更なる音成分を第１のチャンネルの正弦成分及び第２のチャンネルの正弦成分それぞれと合成する工程とを備える。
【００２４】
第１のチャンネルの正弦音成分、第２のチャンネルの正弦音成分、及び両方のチャンネルの更なる音成分が別個の工程で生成されるこの方法は、前述の装置と同様の利点を有する。
【００２５】
本発明の方法は効果的には、
第１のタイプの更なる成分と、第２の別のタイプの更なる成分とを生成する更なる工程、及び、
２つのタイプの更なる成分を合成する更なる工程を備えることができる。
【００２６】
通常の実施例では、第１のタイプの更なる成分は過渡成分を含み、第２のタイプの更なる成分は雑音成分を含む。
【００２７】
方法は、（好ましくは、更なる成分を個々の（出力）チャンネルと混ぜる前に）更なる成分を重み付けする工程を更に備えることができる。
【００２８】
本発明による方法の特に効果的な実施例では、正弦成分が変換ドメインにおいて生成され、更なる成分が時間ドメインにおいて生成される。これによって、本発明の方法に関係する複雑度及び計算量負担が大きく削減される。
【００２９】
本発明の方法は、正弦パラメータを変換ドメインに変換する工程と、方向情報を変換正弦パラメータに加えて第１の出力チャンネル及び第２の出力チャンネルを生成する工程とを更に備えることができる。ステレオ情報などの方向情報を加えることによって、２つ以上の出力チャンネルを、単一の正弦パラメータ源から生成することができる。方向情報を変換ドメインにおいて加え、処理することによって、個々の出力チャンネルを効率的に生成することが可能である。
【００３０】
本発明は、前述の方法を行うコンピュータ・プログラム・プロダクトも提供する。コンピュータ・プログラム・プロダクトは、データ担体上（CD上やDVD上など）に記憶されたコンピュータ実行可能な命令組を備え得る。プログラム可能なコンピュータが前述の方法を行うことを可能にするコンピュータ実行可能な命令組は、遠隔サーバからのダウンロード（例えば、インターネット経由）にも利用可能であり得る。
【発明を実施するための最良の形態】
【００３１】
本発明は、添付図面に示す例示的な実施例を参照して以下に更に説明する。
【実施例】
【００３２】
図１に例として示す、従来技術によるパラメトリック・ステレオ復号器1’は、正弦成分源１１と、過渡成分源１２と、雑音成分源１３と、合成装置１４と、QMF解析（QMFA）装置１５と、パラメトリック・ステレオ（PS）装置１６と、第１のQMF合成（QMFS）装置１７と、第２のQMF合成（QMFS）装置１８とを備える。
【００３３】
正弦成分源１１、過渡成分源１２及び雑音成分源１３は、正弦パラメータ（SP）、過渡パラメータ（TP）及び雑音パラメータ（NP）それぞれを生成し、前述のパラメータを合成装置（加算器）１４に供給する。パラメータは、正弦成分源１１、過渡成分源１２及び雑音成分源１３に記憶されていることがあり得るか、前述の正弦成分源、過渡成分源及び雑音成分源を介して（例えば、逆多重化器から）供給されていることがあり得る。
【００３４】
合成装置１４は、合成パラメータをQMF解析（QMFA）装置１５に供給する。このQMF解析装置１５は、時間ドメインからのパラメータを、周波数ドメインと同様のQMF(直交ミラー・フィルタ)に変換する。QMF解析装置１５は、１つ又は複数のQMFフィルタを備え得るが、フィルタ・バンク、及び１つ又は複数のFFT(高速フリーエ変換)装置によって構成することもできる。結果として生じるQMF（又は周波数）ドメイン・パラメータは次いで、パラメトリック・ステレオ（PS）装置１６によって処理され、パラメトリック・ステレオ（PS）装置１６は更に、ステレオ情報を含むパラメトリック・ステレオ信号PSSを受け取る。ステレオ情報を用いて、パラメトリック・ステレオ装置は、左（QMFドメイン）パラメータ組及び右（QMFドメイン）パラメータ組を生成する。左（QMFドメイン）パラメータ組及び右（QMFドメイン）パラメータ組は、左QMF生成（QMFS）装置１７及び右QMF生成（QMFS）装置１８に供給される。QMF合成装置１７及び１８は、QMFドメイン・パラメータ組を時間ドメインに変換して、左信号L及び右信号Rそれぞれを生成する。
【００３５】
図１の構成1’は、うまく機能し得るが、大きな計算量を伴う。特に、QMF（周波数）ドメインにおける合成は非常に複雑であり、よって、効率的でない。したがって、この合成に必要な回路は、比較的低速の処理をなお伴う一方で高価である。
【００３６】
周波数ドメイン又はQMFドメインにおいて音声を合成することに伴う計算量負担は、過渡成分及び雑音成分を効率的に合成することが非常に難しいことによってもたらされる。対照的に、周波数ドメイン又はQMFドメインにおける正弦成分の合成は効率的に行うことが可能である。パラメトリック復号器では、正弦パラメータ、並びに、少なくとも過渡パラメータ及び雑音パラメータの少なくとも１つが利用可能であるので、パラメータのタイプに応じて、別個の合成を行うことが可能である。よって、本発明の復号器では、正弦成分が周波数ドメイン又はその同等ドメイン（例えば、QMF）において合成される一方、他の成分は別のドメイン（好ましくは時間ドメイン）において合成される。本発明による復号器の好ましい実施例は図２に示す。
【００３７】
単に非限定的な例として図２に示す、本発明によるパラメトリック・ステレオ復号器１は、正弦成分源１１、過渡成分源１２及び雑音成分源１３も備える。復号器１は、パラメトリック・ステレオ（PS）装置１６と、第１のQMF合成（QMFS）装置１７及び第２のQMF合成（QMFS）装置１８と、QMF解析（QMFA）装置１９と、第１の時間ドメイン合成（TDS）装置２０と、第２の時間ドメイン合成（TDS）装置２１と、利得算出（GC）装置２２と、第１の乗算装置２３と、第１の合成装置２４と、第２の乗算装置２５と、第２の合成装置２６と、第３の合成装置２７とを更に備える。
【００３８】
正弦成分源１１、過渡成分源１２及び雑音成分源１３はそれぞれ、正弦パラメータ（SP）、過渡パラメータ（TP）及び雑音パラメータ（NP）を生成する。パラメータは、正弦成分源１１、過渡成分源１２及び雑音成分源１３に記憶されていることがあり得るか、又は前述の正弦成分源、過渡成分源及び雑音成分源を介して（例えば、逆多重化器から）供給されていることがあり得る。
【００３９】
本発明によれば、正弦パラメータ（SP）のみがQMF解析（QMFA）装置１９に供給される。図１にQMFA装置１５に事実上対応しているこのQMF解析装置１９は、時間ドメインからのパラメータを、周波数ドメインと事実上同等であるQMF（直交ミラー・フィルタ）ドメインに変換する。QMF解析装置19は、１つ又は複数のQMFフィルタ（固有に知られていることがあり得る）を備え得るが、フィルタ・バンク、及び１つ又は複数のFFT(高速フリーエ変換)装置（固有に知られていることがあり得る）によって構成することもできる。結果として生じるQMF（又は周波数）ドメイン・パラメータは次いで、パラメトリック・ステレオ（PS）装置１６によって処理され、パラメトリック・ステレオ（PS）装置１６は更に、ステレオ情報を含むパラメトリック・ステレオ信号PSSを受け取る。ステレオ情報を用いて、パラメトリック・ステレオ装置１６は、左（ＱＭＦドメイン）パラメータ組及び右（ＱＭＦドメイン）パラメータ組を生成する。左（ＱＭＦドメイン）パラメータ組及び右（ＱＭＦドメイン）パラメータ組はそれぞれ、左ＱＭＦ合成（ＱＭＦＳ）装置１７及び右ＱＭＦ合成（ＱＭＦＳ）装置１８に供給される。前述のＱＭＦ合成装置１７及び１８はＱＭＦドメイン・パラメータ組を時間ドメインに変換し、前述の変換パラメータは、第１の合成装置２４及び第２の合成装置２６それぞれに供給される。図示した実施例では、合成装置２４及び２６は加算器によって構成されるが、本発明はそのように限定されず、重み付け装置を含むその他の合成装置を想定することが可能である。
【００４０】
本発明の復号器では、正弦パラメータ（ＳＰ）のみがＱＭＦ解析装置（図２の１９）に供給される。過渡パラメータ（ＴＰ）及び／又は雑音パラメータ（ＮＰ）は本発明によれば、QMF解析装置に供給されず、時間ドメイン合成装置２０及び２１それぞれに供給される。その結果、過渡成分及び雑音成分が、QMF（一般に、変換）ドメインの代わりに時間ドメインにおいて合成される。これにより、合成が大きく単純化される。時間ドメイン合成（TDS）装置２０及び２１の技術的構成は、固有に知られているものであり得る。時間ドメイン合成（TDS）装置２０及び２１の技術的構成は、例えば、その内容全体を本明細書及び特許請求の範囲に援用する、「Advances  in  Parametric  Coding  for  High-Quality  Audio  (Audio  Engineering  Society  Convention  Paper  No.  5852,  Amsterdam  (The  Netherlands),  March  2003)」と題する、W.  Oomen、E.  Schuijers、  B.  den  Brinker及びJ.  Breebaartによる論文に開示されている。
【００４１】
合成された雑音成分及び過渡成分を第３の合成装置２７（図示したこの実施例では、やはり加算器によって構成される）において合成する。次いで、合成された雑音信号及び過渡信号は、利得制御装置２２によって生成されるチャンネル依存利得信号と乗算するために第１の乗算器２３及び第２の乗算器２５に供給される。利得制御（GC）装置２２は、パラメトリック・ステレオ信号PSSを受け取り、適切な利得制御信号をこの信号から得る。利得調節された過渡信号及び雑音信号を次いでQMF合成装置１７の出力信号及びQMF合成装置１８の出力信号と合成装置２４及び２６によって合成して左出力信号L及び右出力信号Rそれぞれを生成する。
【００４２】
前述の通り、周波数ドメイン又はQMFドメインにおける雑音成分及び／又は過渡成分の解析及び合成は通常、非効率的であり、非常に複雑である。本発明の復号器では、この課題は、単に、正弦成分をＱＭＦ（又は周波数）ドメインにおいて合成し、過渡成分及び雑音成分を時間ドメインにおいて合成することによって解決される。復号器を更に単純にするために、過渡成分及び雑音成分の合成は、チャンネル毎に別個に行われず、チャンネル全てによって共有された合成装置（図２における２０及び２１）によって行われる。チャンネル依存性情報が、利得算出装置２２、並びに乗算器２３及び２５（チャンネル依存性利得を判定する）によって、共通の過渡成分及び雑音成分に加えられる。
【００４３】
図２の実施例では、チャンネル依存性利得が調節される前に過渡成分及び雑音成分を（加算器２７において）合成する。その結果、過渡成分及び雑音成分の利得は、併せて制御され、したがって、信号タイプ（過渡又は雑音）と無関係である。それぞれの利得が調節された状態になった後まで、合成された過渡成分及び雑音成分が合成されない実施例を想定することが可能である。前述の実施例では、利得制御(GC)装置２２に結合された乗算器を、時間ドメイン合成装置２０と合成装置２７との間に構成することが可能であり、時間ドメイン合成装置２１と合成装置２７との間に構成することが可能である。
【００４４】
過渡成分源１２又は雑音成分源１２を省略することができ、その場合、第３の合成装置２７も省略することができる。通常の実施例では、少なくとも正弦成分源１１及び雑音成分源１３が存在し、過渡成分源１２は任意である。ステレオ（2チャンネル）復号器を図２に示しているが、本発明はそのように限定されず、３つ以上のチャンネルを有する複数チャンネル復号器を本発明によって提供することができ、必要な改変は何れも当業者に明らかである。本発明はしたがって、例えば、5.1復号器も提供する。
【００４５】
本発明の復号器１は通常、時間スロット毎に動作する。すなわち、解析及び合成は時間部分（時間スロット又フレーム）毎に行われる。フレームは部分的に重なり得る。
【００４６】
復号器に加えて、本発明は、音を合成する（例えば、MIDIシステム又はMIDIファイルからの制御データを用いて）合成器も提供する。従来技術による音声合成器は図３に略示する。
【００４７】
従来技術による音声合成器2’は、２つの「音声」又は音入力チャンネルV1及びV2を再生するよう構成される。それぞれはパラメータ源によって構成される。このタイプの合成器は例えば、「Parametric  Audio  Coding  Based  Wavetable  Synthesis  (Audio  Engineering  Society  Convention  Paper  No.  6063,  Berlin  (Germany),  May  2004)」と題する、M.  Szczerba、W.  Oomen、及びＭ.  Klein  Middelinkによる論文に開示されている。
【００４８】
第１のパラメータ源８１（音声V1）は、過渡パラメータ（TP）、正弦パラメータ（SP）及び雑音パラメータ（NP）それぞれを生成するための過渡成分源３１、正弦成分源３２及び雑音成分源３３と、パニング・パラメータ（PP）を生成するための任意のパニング源３４とを備える。同様に、第２のパラメータ源82（音声V２）は、過渡パラメータ（TP）、正弦パラメータ（SP）及び雑音パラメータ（NP）それぞれを生成するための過渡成分35、正弦成分源36及び雑音成分源37と、パニング・パラメータ（PP）を生成するための（任意の）パニング源38とを備える。
【００４９】
音声合成器2’は、第１の過渡成分生成器（TG）５１と、第１の正弦成分生成器（SG）５２と、第１の雑音成分生成器（NG）５３とを備える第１の生成器ブロック４７、及び、第２の過渡成分生成器（TG）５４と、第２の正弦成分生成器（SG）５５と、第２の雑音成分生成器（NG）５６とを備える第２の生成器ブロック４８を更に備える。第１の生成器ブロック４７が、第１の合成装置６１によって第１の（左）音出力チャンネルLに合成される音声信号を生成する一方、第２の生成器ブロック４８は、第２の合成装置６２によって第２の（右）音出力チャンネルRに合成される音声信号を生成する。
【００５０】
音出力チャンネルL及びRはそれぞれ、２つの音入力チャンネル（又は「音声」）V1及びV2から来る音を含んでいる。更に、図３に示す音入力チャンネル及び音出力チャンネルの数は例示的なものに過ぎず、3つ以上の音入力チャンネル及び／又は３つ以上の音出力チャンネルが存在し得る。
【００５１】
音パラメータは生成器に一連の重み付け装置３９乃至４４によって配信される。例えば、第１の重み付け装置３９を第１の過渡パラメータ源３１に結合し、第１の過渡生成器５１及び第２の過渡生成器５４に結合して第１の音声V1の過渡パラメータを２つのチャンネルL及びRを介して配信する。第１の重み付け装置３９は、所定の重み付け係数（例えば、0.5及び0.5、又は0.4及び0.6）を用いることができるが、第１の音声V1の（任意の）パニング装置３４によって生成されるパニング・パラメータ（PP）によって制御することもできる。このようにして、パラメータは全て、生成器全てを介して配信される。
【００５２】
図３の合成器2’は比較的複雑であり、より多くの音入力チャンネル及び／又は音出力チェンネルが追加されるとその複雑度はかなり増大する。いわゆる5.1サウンド・システムの場合、６つの生成器ブロック（合計18個の生成器）が必要になる。これは明らかに望ましくない。
【００５３】
本発明による合成器は、図４に非限定的な例として略示する。本発明の合成器２は更に、第１のパラメータ源８１及び第２のパラメータ源８２を備える。第１のパラメータ源８１（音声V1）は、過渡パラメータ（TP）と、正弦パラメータ（SP）、及び雑音パラメータ（NP）それぞれを生成する過渡成分源３１と、正弦成分源３２と、雑音成分源３３、及び、パニング・パラメータ（PP）を生成するための任意のパニング源３４を備える。同様に、第２のパラメータ源82（音声V２）は、過渡パラメータ（TP）、正弦パラメータ（SP）及び雑音パラメータ（NP）それぞれを生成するための過渡成分源35、正弦成分源36及び雑音成分源37と、パニング・パラメータ（PP）を生成するための（任意の）パニング源38とを備える。
【００５４】
しかし、従来技術の合成器2’と対照的に、図４に示す本発明の合成器２は、複数の生成器ブロック（図３における４７及び４８）を有しない。その代わり、合成器２は、２つの正弦成分生成器（SG）５２及び５５（図３のように出力音チャンネル毎に１つ）を有するが、単一の雑音成分生成器（NG）５８及び単一の過渡成分生成器（TG）５９を有する。過渡成分源３１及び３５からの過渡パラメータ（TP）は、単一の過渡成分生成器（TG）５９に供給される。過渡成分生成器（TG）５９は両方のチャンネルの過渡信号を生成する。
同様に、雑音成分源３３及び３７からの雑音パラメータは信号雑音生成器（NG）５８に供給され、信号雑音生成器（NG）５８は両方のチャンネルの雑音信号を生成する。チャンネル毎に、そのチャンネルの雑音信号及び過渡信号を合成するために、更なる合成装置６３及び６５それぞれを設ける。次いで、合成装置６３と合成装置６１との間、及び合成装置６５と合成装置６２との間それぞれに結合されたレベル調節装置６４及び６５それぞれによって各チャンネルのサウンド・レベルを調節することができる。レベル調節装置６４及び６６は、パニング制御（ＰＣ）装置５７から重み付け信号を受信することができるか、又は、固定の所定重み付け係数を施すよう構成することができる。
【００５５】
（単一の、任意の）パニング制御（ＰＣ）装置５７は、音声Ｖ１及びＶ１のパニング・パラメータ（ＰＰ）をパニング装置３４及び３８から受信する。装置５７は、前述のパニング・パラメータを、適切なパニング制御信号に変換する。これは、レベル調節（又は重み付け）装置６４及び６６、並びに、正弦成分生成器５２及び５５に供給して出力サウンド・レベルを制御し、それによって、出力音の方向を決定する。
【００５６】
図３及び図４を比較すれば、図４の合成器２が図３の従来技術の合成器2’よりもずっと単純であることは明らかである。更に、本発明の合成器２を容易に改変して、その複雑度をあまり増大させることなく、より多くの入力音チャンネル及び／出力音チャンネルを含めることが可能である。雑音成分生成器（ＮＧ）及び過渡成分生成器（ＴＧ）の数は増えない。前述の生成器は、出力チャンネル間で共有されるからである。出力チャンネル毎の関連した合成装置及び重み付け装置に加えて、正弦成分生成器の数のみを増加させればよい。
【００５７】
パニング・パラメータ（PP）装置３４及び３８、パニング制御装置５７、並びにレベル調節装置６４及び６６は任意であり、本発明は前述の装置なしで実施することができる。しかし、前述の装置は、本発明の好ましい実施例において存在する。
【００５８】
更に、パラメータ源３１乃至３８は合成器２の外部にあり得る。すなわち、過渡パラメータ、正弦パラメータ、雑音パラメータ及び／又はパニング・パラメータを受信する、本発明による合成器を想定することが可能である。その入力端子はその場合、パラメータ源３１乃至３８を構成する。特定の実施例では、過渡パラメータ、及び合成器の関連した成分を省略することができ、雑音成分及び正弦成分のみを生成するよう合成器が構成される。他の実施例では、雑音生成器のみが出力チャンネル間で共有される一方で、複数の過渡生成器を設けることができる。
【００５９】
出力チャンネル間で生成器を共有する一方で音の局所化を向上させるために、後処理装置（フィルタや遅延線など）を加えることができる。このようにして、改良された方向処理（パニング）が達成される。これは、フィルタリング（通常、HRTF(頭部関連伝達関数（周知である）)を用いる）し、限定数のチャンネルにマッピングすることによって位置特定が達成される３D（3次元）音を生成する場合に特に効果的であり得る。
【００６０】
他の後処理動作（例えば、残響効果及びコーラス効果を加える）を行うことができる。合成音声信号の正弦成分にのみ残響を施すことによって、残響効果の削減がほとんど知覚できない一方で合成器の複雑度がかなり削減される。
【００６１】
前述の通り、本発明の合成器は、ステレオ・アプリケーションに限定されず、３つ以上のチャンネル（例えば、5.1サウンド・システムの場合）を有するマルチチャンネル・アプリケーションに用いることもできる。パラメータの処理は好ましくは、時間部分毎に実行され、各パラメータは、特定の時間部分（例えば、フレーム）の信号タイプ（雑音、過渡又は正弦）を規定する。
【００６２】
本発明は、スペクトル・ドメインにおいて効率的に合成することが可能であるのは正弦成分のみであるという洞察に基づいている。本発明は、正弦信号成分の方向に対してよりも過渡信号成分及び雑音信号成分の方向に対して人間の耳の感度が低いという更なる洞察に基づいている。本明細書及び特許請求の範囲記載の語は何れも、本発明の範囲を限定するものと解されるべきでない。特に、「comprise(s)」及び「comprising」の語は、明記していない如何なる構成要素も除外することを意味するものでない。単一の（回路）要素は、複数の（回路）要素によって、又はそれらの均等物によって置き換えることができる。
【００６３】
本発明が前述の実施例に限定されるものでなく、特許請求の範囲記載の本発明の範囲から逸脱しない限り、多くの修正及び追加を行うことができることを当業者は理解するであろう。
【図面の簡単な説明】
【００６４】
【図１】従来技術によるパラメトリック・ステレオ復号器を略示した図である。
【図２】本発明によるパラメトリック・ステレオ復号器を略示した図である。
【図３】従来技術によるパラメトリック・ステレオ合成器を略示した図である。
【図４】本発明によるパラメトリック・ステレオ合成器を略示した図である。
【図１】
2009500669.tif 000003
【図２】
2009500669.tif 000004
【図３】
2009500669.tif 000005
【図４】
2009500669.tif 000006
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
パラメータ組によって表される音を生成する装置であって、各組は、前記音の正弦成分を表す正弦パラメータ（SP）と、前記音の更なる成分を表す更なるパラメータ（NP,TP）とを備え、
前記正弦パラメータに応じて第１の出力チャンネル（L）のみの正弦成分を生成する第１の正弦成分生成装置と、
前記正弦パラメータに応じて第２の出力チャンネル（R）のみの正弦成分を生成する第２の正弦成分生成装置と、
前記更なる成分に応じて前記第１の出力チャンネル（L）及び前記第２の出力チャンネル（R）の共通の更なる成分を生成する少なくとも１つの更なる成分生成装置と、
前記共通の更なる成分を前記第１の出力チャンネル（L）の正弦成分及び前記第２の出力チャンネル（R）の正弦成分それぞれと合成することに応じて前記第１の出力チャンネルを生成する第１の合成装置及び、前記共通の更なる成分を前記第１の出力チャンネル（L）の正弦成分及び前記第２の出力チャンネル（R）の正弦成分それぞれと合成することに応じて前記第２の出力チャンネルを生成する第２の合成装置とを備え、
前記共通の更なる成分が過渡成分及び雑音成分の少なくとも１つである装置。
【請求項２】
請求項1記載の装置であって、
第１のタイプの更なる成分、及び第２の別のタイプの更なる成分それぞれを生成する２つの更なる成分生成装置と、
前記２つの更なる成分生成装置によって生成される更なる成分を合成する少なくとも１つの更なる合成装置とを備える装置。
【請求項３】
請求項２記載の装置であって、第１の更なる成分生成装置は過渡成分を生成するよう構成され、第２の更なる成分生成装置は雑音成分を生成するよう構成される装置。
【請求項４】
請求項１記載の装置であって、前記第１の出力チャンネル（L）及び前記第２の出力チャンネル（R）それぞれの前記共通の更なる成分を重み付けする第１の重み付け装置及び第２の重み付け装置を更に備える装置。
【請求項５】
請求項１記載の装置であって、正弦成分生成装置は変換ドメイン生成装置であり、前記更なる成分生成装置は時間ドメイン生成装置である装置。
【請求項６】
請求項５記載の装置であって、正弦パラメータ（ＳＰ）を変換ドメインに変換する変換装置と、前記変換された正弦パラメータに方向情報（ＰＳＳ）を加えて前記第１の出力チャンネル（Ｌ）及び前記第２の出力チャンネル（Ｒ）を生成する方向制御装置とを更に備える装置。
【請求項７】
請求項１記載の装置であって、生成装置は、複数のパラメータ組を受信するよう構成され、前記組が別々の入力チャンネルと関連付けられる装置。
【請求項８】
請求項１記載の装置であって、少なくとも３つの出力チャンネルを生成し、好ましくは６つの出力チャンネルを生成するよう構成される装置。
【請求項９】
ＭＩＤＩ合成器である、請求項１記載の装置。
【請求項１０】
パラメトリック音復号器である、請求項１記載の装置。
【請求項１１】
請求項1記載の装置を備えるサウンド・システム。
【請求項１２】
パラメータ組によって表される音を生成する方法であって、各組は、前記音の正弦成分を表す正弦パラメータ（SP）と、前記音の更なる成分を表す更なるパラメータ（NP,TP）とを備え、
前記正弦パラメータに応じて第１の出力チャンネル（Ｌ）のみの正弦成分を生成する工程と、
前記正弦パラメータに応じて第２の出力チャンネル（Ｒ）のみの正弦成分を生成する工程と、
前記更なるパラメータに応じて前記第１の出力チャンネル（Ｌ）及び前記第２の出力チャンネル（Ｒ）の共通の更なる成分を生成する工程と、
前記共通の更なる成分を前記第１の出力チャンネル（Ｌ）の正弦成分及び前記第２の出力チャンネル（Ｒ）の正弦成分それぞれと合成することに応じて前記第１の出力チャンネル（Ｌ）及び前記第２の出力チャンネル（Ｒ）を生成する工程とを備え、
前記共通の更なる成分が、過渡成分及び雑音成分の少なくとも１つである方法。
【請求項１３】
請求項12記載の方法であって、
第１のタイプの更なる成分及び第２の別のタイプの更なる成分を生成する工程と、
２つのタイプの更なる成分を合成する工程とを更に備える方法。 
【請求項１４】
請求項１３記載の方法であって、前記第１のタイプの更なる成分は過渡成分を含み、前記第２のタイプの更なる成分は雑音成分を含む方法。
【請求項１５】
請求項１２記載の方法であって、前記第１の出力チャンネル（L）及び前記第２の出力チャンネル（R）それぞれの前記共通の更なる成分を重み付ける工程を更に備える方法。
【請求項１６】
請求項１２記載の方法であって、前記正弦成分が変換ドメインにおいて生成され、前記更なる成分が時間ドメインにおいて生成される方法。
【請求項１７】
請求項１６記載の方法であって、正弦パラメータ（ＳＰ）を前記変換ドメインに変換する工程と、方向情報（ＰＳＳ）を前記変換正弦パラメータに加えて第１の出力チャンネル（Ｌ）及び第２の出力チャンネル（Ｒ）を生成する工程とを更に備える方法。
【請求項１８】
コンピュータ・プログラムであって、請求項12記載の方法を行うコンピュータ・プログラム。
【手続補正２】
【補正対象書類名】明細書
【補正対象項目名】全文
【補正方法】変更
【補正の内容】
【発明の詳細な説明】
【技術分野】
【０００１】
本発明は、ステレオ復号器などのパラメトリック・マルチチャンネル復号器に関する。更に、本発明は特に、パラメータ組によって表される音を合成する装置及び方法に関する。各組は、音の正弦成分を表す正弦パラメータや、その他の成分を表すその他のパラメータを備える。
【背景技術】
【０００２】
パラメータ組によって音を表すことは周知である。いわゆるパラメトリック符号化手法を用いて、一連のパラメータによって音を表して効率的に音を符号化する。適切な復号器は、一連のパラメータを用いて元の音を実質的に再構成することができる。一連のパラメータは組に分けることができる。各組は、（人間の）話者や楽器などの個々の音源（サウンド・チャンネル）に対応する。
【０００３】
一般的なMIDI（楽器ディジタル・インタフェース）プロトコルは、楽器の命令組によって音楽を表すことを可能にする。各命令は特定の楽器に割り当てられる。各楽器は、１つ又は複数のサウンド・チャンネル（MIDIでは「音声」と呼ばれている）を用いることが可能である。同時に用いることができるサウンド・チャンネル数は、ポリフォニー数又はポリフォニーと呼ばれている。MIDI命令は効率的に送信及び／又は記憶することが可能である。
【０００４】
合成器は通常、音定義データ（例えば、サウンド・バンク又はパッチ・データ）を含む。サウンド・バンクでは、楽器の音のサンプルが音データとして記憶される一方、パッチ・データが、音生成器の制御パラメータを規定する。
【０００５】
MIDI命令は合成器に、サウンド・バンクから音データを取り出させ、そのデータによって表される音を合成させる。前述の音データは、通常のウェーブテーブル合成の場合と同様に、実際の音サンプル（すなわち、ディジタル音（波形））であり得る。しかし、音サンプルは通常、大量のメモリを必要とする。これは、比較的小型の機器（特に、携帯（セルラー）電話機などの、ハンドヘルド型の消費者向機器）では実現可能でない。
【０００６】
あるいは、音サンプルはパラメータ（振幅、周波数、位相、及び／又はエンベロープ形状パラメータを含み得るものであり、音サンプルの再構成を可能にする）によって表すことができる。音サンプルのパラメータの記憶は通常、実際の音サンプルよりもずっと少ないメモリを必要とする。
しかし、音の合成が計算量的に高負担になり得る。このことは、種々のサウンド・チャンネル（ＭＩＤＩにおける「音声」）を表す多くのパラメータ組を同時に合成しなければならない場合（高度のポリフォニー）に特にあてはまる。計算量の負担は通常、合成する対象のチャンネル（「音声」）数に伴って（すなわち、ポリフォーニーの度合いに伴って）線形的に増加する。このことは、ハンドヘルド型機器において前述の手法を用いることを困難にする。
【０００７】
「Low  Complexity  Parametric  Stereo  Coding（Audio  Engineering  Society  Convention  Paper  No.  6073,  Berlin  (Germany),  May  2004」と題する、E.  Schuijers、J.  Breebaart、H.  Purnhagen及びJ.  Engdegardによる論文には、パラメトリック・オーディオ復号器が開示されている(図８)。オーディオ信号は、パラメータによって表す過渡成分、正弦成分及び雑音成分に分解されている。オーディオ信号のこのパラメトリック表現をサウンド・バンクに記憶することができる。パラメトリック復号器（又は合成器）はこのパラメトリック表現を用いて元のオーディオ入力を再構成する。
【０００８】
従来技術のパラメトリック符号器では、正弦成分、過渡成分及び雑音成分は方向処理を受ける。すなわち、ステレオ・パラメータを用いて、単一のチャンネルから２つの出力チャンネル（ステレオ・システムにおける左及び右）を生成する。この方向処理は変換ドメイン（周波数又はＱＭＦ（直交ミラー・フィルタ）など）で実行される。これにより、方向処理の効率が大きく増加するからである。しかし、変換ドメインにおいて正弦成分、過渡成分及び雑音成分の方向処理を実行することができるために、前述の音成分を変換ドメインにおいて合成する必要がある。このことが音声合成の複雑度をかなり増大させることが明らかになっている。
【０００９】
周波数ドメイン又はＱＭＦドメインにおける音の合成に伴う計算量の負担は、変換ドメインにおける過渡成分及び雑音成分の合成が非効率的であり、音声合成の複雑度をかなり増大させることによってもたらされることを本願の発明者は認識している。
【発明の開示】
【発明が解決しようとする課題】
【００１０】
本発明の目的は、従来技術の前述及びその他の課題を解決し、音の合成を大いに単純化することを可能にするパラメータ組によって表す音を生成する装置を提供することである。
【課題を解決するための手段】
【００１１】
よって、本発明は、パラメータ組によって表される音を生成する装置を提供する。各組は、音の正弦成分を表す正弦パラメータと、音の更なる成分を表す更なるパラメータとを備える。装置は、
正弦パラメータに応じて第１の出力チャンネルのみの正弦成分を生成する第１の正弦成分生成装置と、
正弦パラメータに応じて第２の出力チャンネルのみの正弦成分を生成する第２の正弦成分生成装置と、
更なるパラメータに応じて第１の出力チャンネル及び第２の出力チャンネルの共通の更なる成分を生成する少なくとも１つの更なる成分生成装置と、
共通の更なる成分を第１の出力チャンネルの正弦成分及び第２の出力チャンネルの正弦成分それぞれと合成することに応じて第１の出力チャンネルを生成する第１の合成装置、及び共通の更なる成分を第１の出力チャンネルの正弦成分及び第２の出力チャンネルの正弦成分それぞれと合成することに応じて第２の出力チャンネルを生成する第２の合成装置とを備え、
共通の更なる成分は、過渡成分及び雑音成分の少なくとも１つである。
【００１２】
出力チャンネル毎に別個の正弦成分生成装置を提供するが、共有された更なる成分の生成装置を提供することによって、生成装置の数が削減され、よって、装置の複雑度も削減される。本発明の装置では、正弦成分が、チャンネル毎に個々に生成される一方、雑音成分及び／又は過渡成分などの更なる成分は、出力チャンネルに共通の生成装置によって生成される。よって、本発明の装置は、従来技術の装置よりも少ない少なくとも１つの生成装置を有する。
【００１３】
本発明は、正弦音成分が最も多くの方向情報、又は少なくとも最も詳細な方向情報を含み、特に、雑音成分は、非常に少ない方向情報又は非常に粗い方向情報を含むという洞察に基づいている。これは、同じ雑音成分を両方の（又は全ての）チェンネルに用いることを可能にする。前述の共有された雑音成分（一般に、更なる成分）を、適切な合成装置において、チャンネル固有の正弦成分と合成して、特定のチャンネル成分を示す正弦成分及び汎用雑音成分を示す正弦成分を含む出力チャンネルを生成する。
【００１４】
好ましい実施例では、本発明の装置は、
第１のタイプの更なる成分及び第２の別のタイプの更なる成分それぞれを生成する２つの更なる成分の生成装置と、 
２つの更なる成分生成装置によって生成される更なる成分を合成する少なくとも１つの更なる合成装置とを更に備える。
【００１５】
更なる成分の２つの生成装置を提供することによって、出力チャンネルに共通の雑音成分及び過渡成分（並びに／又は更なる成分）を供給することができる。その結果、２つの（又は複数の）雑音生成装置及び２つの（又は複数の）過渡生成装置が避けられる。したがって、この実施例では、効果的には、過渡成分を生成するよう第１の更なる成分生成装置を構成することができ、効果的には、雑音成分を生成するよう第２の更なる成分生成装置を構成することができる。
【００１６】
好ましくは、装置は、第１の出力チャンネル及び第２の出力チャンネルそれぞれに共通の更なる成分を重み付けする第１の重み付け装置及び第２の重み付け装置を更に備える。これによって、出力チャンネル毎の、共通の更なる成分のレベルが変動し、よって、より現実的な音声再生がもたらされる。
【００１７】
特に効果的な実施例では、正弦成分生成装置は変換ドメイン生成装置であり、更なる成分生成装置は時間ドメイン生成装置である。したがって、この実施例では、正弦成分のみが当該変換（例えば、周波数）ドメインにおいて合成される。この合成は非常に効率的に実行することが可能である。雑音成分や過渡成分などの更なる成分は時間ドメインで合成され、よって、前述の成分の非効率的な変換ドメイン合成が避けられる。その結果、非常に大きな複雑度削減が得られる。
【００１８】
この特に効果的な実施例は好ましくは、正弦パラメータを変換ドメインに変換する変換装置と、変換された正弦パラメータに方向情報を加えて第１の出力チャンネル及び第２の出力チャンネルを生成する方向制御装置とを更に備える。この好ましい実施例は、パラメトリック復号器として用いるうえで特に適している。
【００１９】
別の効果的な実施例では、生成装置は、複数の組のパラメータを受信するよう構成される。上記組は別々の入力チェンネルと関連付けられる。この実施例は、合成器（例えば、MIDI合成器）として用いるうえで特に適している。
【００２０】
本発明の装置は、２つの出力チャンネルのみを参照して前述してきたが、本発明はそのように限定されるものでない。更に、本発明の装置は特に、少なくとも３つの出力チャンネル（好ましくは、６つの出力チャンネル）を生成するよう構成することができる。６つの出力チャンネルを、いわゆる5.1サウンド・システム（５つの通常音出力チャンネル（左前方、左後方、右前方、右後方、及び中央）、及びベースの生成のためのサブウーファ）において用いることができる。本発明の装置は、3つ以上の出力チャンネルに構成した場合、少なくとも３つの正弦成分生成装置と、２つ以下の更なる成分生成装置とを有する。好ましくは、装置は、更なる成分タイプ毎に単一の共有された更なる成分生成装置をなお有する。上記タイプは例えば、雑音又は過渡である。
【００２１】
前述の通り、本発明の装置は効果的には、MIDI合成器又はパラメトリック復号器（パラメトリック・ステレオ若しくはマルチチャンネル復号器など）であり得る。
【００２２】
サウンド・システムは効果的には、前述の装置を備える。前述のサウンド・システムは、消費者向サウンド・システム（アンプ、及びスピーカや同様なトランスデューサを含む）であり得る。他のサウンド・システムは、楽器、電話機器（携帯（セルラ）電話機など）、ポータブル・オーディオ・プレイヤ（MP3プレイヤやAACプレイヤなど）、コンピュータ・サウンド・システム等を含み得る。
【００２３】
本発明は、パラメータ組によって表される音を生成する方法も提供する。各組は、音の正弦成分を表す正弦パラメータと、音の更なる成分を表す更なるパラメータとを備える。
【００２４】
方法は、
正弦パラメータに応じて第１の出力チャンネルのみの正弦成分を生成する工程と、
正弦パラメータに応じて第２の出力チャンネルのみの正弦成分を生成する工程と、
更なるパラメータに応じて第１の出力チャンネル及び第２の出力チャンネルの共通の更なる成分を生成する工程と、
共通の更なる成分を第１の出力チャンネルの正弦成分及び第２の出力チャンネルの正弦成分それぞれと合成することに応じて第１の出力チャンネル（L）及び第２の出力チャンネル（R）を生成する工程とを備え、
共通の更なる成分は、過渡成分及び雑音成分の少なくとも１つである。
【００２５】
第１のチャンネルの正弦音成分、第２のチャンネルの正弦音成分、及び両方のチャンネルの更なる音成分が別個の工程で生成されるこの方法は、前述の装置と同様の利点を有する。
【００２６】
本発明の方法は効果的には、
第１のタイプの更なる成分と、第２の別のタイプの更なる成分とを生成する更なる工程、及び、
２つのタイプの更なる成分を合成する更なる工程を備えることができる。
【００２７】
通常の実施例では、第１のタイプの更なる成分は過渡成分を含み、第２のタイプの更なる成分は雑音成分を含む。
【００２８】
方法は、（好ましくは、更なる成分を個々の（出力）チャンネルと混ぜる前に）第１の出力チャンネル（L）及び第２の出力チャンネル（R）それぞれの共通の更なる成分を重み付けする工程を更に備えることができる。
【００２９】
本発明による方法の特に効果的な実施例では、正弦成分が変換ドメインにおいて生成され、更なる成分が時間ドメインにおいて生成される。これによって、本発明の方法に関係する複雑度及び計算量負担が大きく削減される。
【００３０】
本発明の方法は、正弦パラメータを変換ドメインに変換する工程と、方向情報を変換正弦パラメータに加えて第１の出力チャンネル及び第２の出力チャンネルを生成する工程とを更に備えることができる。ステレオ情報などの方向情報を加えることによって、２つ以上の出力チャンネルを、単一の正弦パラメータ源から生成することができる。方向情報を変換ドメインにおいて加え、処理することによって、個々の出力チャンネルを効率的に生成することが可能である。
【００３１】
本発明は、前述の方法を行うコンピュータ・プログラム・プロダクトも提供する。コンピュータ・プログラム・プロダクトは、データ担体上（CD上やDVD上など）に記憶されたコンピュータ実行可能な命令組を備え得る。プログラム可能なコンピュータが前述の方法を行うことを可能にするコンピュータ実行可能な命令組は、遠隔サーバからのダウンロード（例えば、インターネット経由）にも利用可能であり得る。
【発明を実施するための最良の形態】
【００３２】
本発明は、添付図面に示す例示的な実施例を参照して以下に更に説明する。
【実施例】
【００３３】
図１に例として示す、従来技術によるパラメトリック・ステレオ復号器1’は、正弦成分源１１と、過渡成分源１２と、雑音成分源１３と、合成装置１４と、QMF解析（QMFA）装置１５と、パラメトリック・ステレオ（PS）装置１６と、第１のQMF合成（QMFS）装置１７と、第２のQMF合成（QMFS）装置１８とを備える。
【００３４】
正弦成分源１１、過渡成分源１２及び雑音成分源１３は、正弦パラメータ（SP）、過渡パラメータ（TP）及び雑音パラメータ（NP）それぞれを生成し、前述のパラメータを合成装置（加算器）１４に供給する。パラメータは、正弦成分源１１、過渡成分源１２及び雑音成分源１３に記憶されていることがあり得るか、前述の正弦成分源、過渡成分源及び雑音成分源を介して（例えば、逆多重化器から）供給されていることがあり得る。
【００３５】
合成装置１４は、合成パラメータをQMF解析（QMFA）装置１５に供給する。このQMF解析装置１５は、時間ドメインからのパラメータを、周波数ドメインと同様のQMF(直交ミラー・フィルタ)に変換する。QMF解析装置１５は、１つ又は複数のQMFフィルタを備え得るが、フィルタ・バンク、及び１つ又は複数のFFT(高速フリーエ変換)装置によって構成することもできる。結果として生じるQMF（又は周波数）ドメイン・パラメータは次いで、パラメトリック・ステレオ（PS）装置１６によって処理され、パラメトリック・ステレオ（PS）装置１６は更に、ステレオ情報を含むパラメトリック・ステレオ信号PSSを受け取る。ステレオ情報を用いて、パラメトリック・ステレオ装置は、左（QMFドメイン）パラメータ組及び右（QMFドメイン）パラメータ組を生成する。左（QMFドメイン）パラメータ組及び右（QMFドメイン）パラメータ組は、左QMF生成（QMFS）装置１７及び右QMF生成（QMFS）装置１８に供給される。QMF合成装置１７及び１８は、QMFドメイン・パラメータ組を時間ドメインに変換して、左信号L及び右信号Rそれぞれを生成する。
【００３６】
図１の構成1’は、うまく機能し得るが、大きな計算量を伴う。特に、QMF（周波数）ドメインにおける合成は非常に複雑であり、よって、効率的でない。したがって、この合成に必要な回路は、比較的低速の処理をなお伴う一方で高価である。
【００３７】
周波数ドメイン又はQMFドメインにおいて音声を合成することに伴う計算量負担は、過渡成分及び雑音成分を効率的に合成することが非常に難しいことによってもたらされる。対照的に、周波数ドメイン又はQMFドメインにおける正弦成分の合成は効率的に行うことが可能である。パラメトリック復号器では、正弦パラメータ、並びに、少なくとも過渡パラメータ及び雑音パラメータの少なくとも１つが利用可能であるので、パラメータのタイプに応じて、別個の合成を行うことが可能である。よって、本発明の復号器では、正弦成分が周波数ドメイン又はその同等ドメイン（例えば、QMF）において合成される一方、他の成分は別のドメイン（好ましくは時間ドメイン）において合成される。本発明による復号器の好ましい実施例は図２に示す。
【００３８】
単に非限定的な例として図２に示す、本発明によるパラメトリック・ステレオ復号器１は、正弦成分源１１、過渡成分源１２及び雑音成分源１３も備える。復号器１は、パラメトリック・ステレオ（PS）装置１６と、第１のQMF合成（QMFS）装置１７及び第２のQMF合成（QMFS）装置１８と、QMF解析（QMFA）装置１９と、第１の時間ドメイン合成（TDS）装置２０と、第２の時間ドメイン合成（TDS）装置２１と、利得算出（GC）装置２２と、第１の乗算装置２３と、第１の合成装置２４と、第２の乗算装置２５と、第２の合成装置２６と、第３の合成装置２７とを更に備える。
【００３９】
正弦成分源１１、過渡成分源１２及び雑音成分源１３はそれぞれ、正弦パラメータ（SP）、過渡パラメータ（TP）及び雑音パラメータ（NP）を生成する。パラメータは、正弦成分源１１、過渡成分源１２及び雑音成分源１３に記憶されていることがあり得るか、又は前述の正弦成分源、過渡成分源及び雑音成分源を介して（例えば、逆多重化器から）供給されていることがあり得る。
【００４０】
本発明によれば、正弦パラメータ（SP）のみがQMF解析（QMFA）装置１９に供給される。図１にQMFA装置１５に事実上対応しているこのQMF解析装置１９は、時間ドメインからのパラメータを、周波数ドメインと事実上同等であるQMF（直交ミラー・フィルタ）ドメインに変換する。QMF解析装置19は、１つ又は複数のQMFフィルタ（固有に知られていることがあり得る）を備え得るが、フィルタ・バンク、及び１つ又は複数のFFT(高速フリーエ変換)装置（固有に知られていることがあり得る）によって構成することもできる。結果として生じるQMF（又は周波数）ドメイン・パラメータは次いで、パラメトリック・ステレオ（PS）装置１６によって処理され、パラメトリック・ステレオ（PS）装置１６は更に、ステレオ情報を含むパラメトリック・ステレオ信号PSSを受け取る。ステレオ情報を用いて、パラメトリック・ステレオ装置１６は、左（ＱＭＦドメイン）パラメータ組及び右（ＱＭＦドメイン）パラメータ組を生成する。左（ＱＭＦドメイン）パラメータ組及び右（ＱＭＦドメイン）パラメータ組はそれぞれ、左ＱＭＦ合成（ＱＭＦＳ）装置１７及び右ＱＭＦ合成（ＱＭＦＳ）装置１８に供給される。前述のＱＭＦ合成装置１７及び１８はＱＭＦドメイン・パラメータ組を時間ドメインに変換し、前述の変換パラメータは、第１の合成装置２４及び第２の合成装置２６それぞれに供給される。図示した実施例では、合成装置２４及び２６は加算器によって構成されるが、本発明はそのように限定されず、重み付け装置を含むその他の合成装置を想定することが可能である。
【００４１】
本発明の復号器では、正弦パラメータ（ＳＰ）のみがＱＭＦ解析装置（図２の１９）に供給される。過渡パラメータ（ＴＰ）及び／又は雑音パラメータ（ＮＰ）は本発明によれば、QMF解析装置に供給されず、時間ドメイン合成装置２０及び２１それぞれに供給される。その結果、過渡成分及び雑音成分が、QMF（一般に、変換）ドメインの代わりに時間ドメインにおいて合成される。これにより、合成が大きく単純化される。時間ドメイン合成（TDS）装置２０及び２１の技術的構成は、固有に知られているものであり得る。時間ドメイン合成（TDS）装置２０及び２１の技術的構成は、例えば、その内容全体を本明細書及び特許請求の範囲に援用する、「Advances  in  Parametric  Coding  for  High-Quality  Audio  (Audio  Engineering  Society  Convention  Paper  No.  5852,  Amsterdam  (The  Netherlands),  March  2003)」と題する、W.  Oomen、E.  Schuijers、  B.  den  Brinker及びJ.  Breebaartによる論文に開示されている。
【００４２】
合成された雑音成分及び過渡成分を第３の合成装置２７（図示したこの実施例では、やはり加算器によって構成される）において合成する。次いで、合成された雑音信号及び過渡信号は、利得制御装置２２によって生成されるチャンネル依存利得信号と乗算するために第１の乗算器２３及び第２の乗算器２５に供給される。利得制御（GC）装置２２は、パラメトリック・ステレオ信号PSSを受け取り、適切な利得制御信号をこの信号から得る。利得調節された過渡信号及び雑音信号を次いでQMF合成装置１７の出力信号及びQMF合成装置１８の出力信号と合成装置２４及び２６によって合成して左出力信号L及び右出力信号Rそれぞれを生成する。
【００４３】
前述の通り、周波数ドメイン又はQMFドメインにおける雑音成分及び／又は過渡成分の解析及び合成は通常、非効率的であり、非常に複雑である。本発明の復号器では、この課題は、単に、正弦成分をＱＭＦ（又は周波数）ドメインにおいて合成し、過渡成分及び雑音成分を時間ドメインにおいて合成することによって解決される。復号器を更に単純にするために、過渡成分及び雑音成分の合成は、チャンネル毎に別個に行われず、チャンネル全てによって共有された合成装置（図２における２０及び２１）によって行われる。チャンネル依存性情報が、利得算出装置２２、並びに乗算器２３及び２５（チャンネル依存性利得を判定する）によって、共通の過渡成分及び雑音成分に加えられる。
【００４４】
図２の実施例では、チャンネル依存性利得が調節される前に過渡成分及び雑音成分を（加算器２７において）合成する。その結果、過渡成分及び雑音成分の利得は、併せて制御され、したがって、信号タイプ（過渡又は雑音）と無関係である。それぞれの利得が調節された状態になった後まで、合成された過渡成分及び雑音成分が合成されない実施例を想定することが可能である。前述の実施例では、利得制御(GC)装置２２に結合された乗算器を、時間ドメイン合成装置２０と合成装置２７との間に構成することが可能であり、時間ドメイン合成装置２１と合成装置２７との間に構成することが可能である。
【００４５】
過渡成分源１２又は雑音成分源１２を省略することができ、その場合、第３の合成装置２７も省略することができる。通常の実施例では、少なくとも正弦成分源１１及び雑音成分源１３が存在し、過渡成分源１２は任意である。ステレオ（2チャンネル）復号器を図２に示しているが、本発明はそのように限定されず、３つ以上のチャンネルを有する複数チャンネル復号器を本発明によって提供することができ、必要な改変は何れも当業者に明らかである。本発明はしたがって、例えば、5.1復号器も提供する。
【００４６】
本発明の復号器１は通常、時間スロット毎に動作する。すなわち、解析及び合成は時間部分（時間スロット又フレーム）毎に行われる。フレームは部分的に重なり得る。
【００４７】
復号器に加えて、本発明は、音を合成する（例えば、MIDIシステム又はMIDIファイルからの制御データを用いて）合成器も提供する。従来技術による音声合成器は図３に略示する。
【００４８】
従来技術による音声合成器2’は、２つの「音声」又は音入力チャンネルV1及びV2を再生するよう構成される。それぞれはパラメータ源によって構成される。このタイプの合成器は例えば、「Parametric  Audio  Coding  Based  Wavetable  Synthesis  (Audio  Engineering  Society  Convention  Paper  No.  6063,  Berlin  (Germany),  May  2004)」と題する、M.  Szczerba、W.  Oomen、及びＭ.  Klein  Middelinkによる論文に開示されている。
【００４９】
第１のパラメータ源８１（音声V1）は、過渡パラメータ（TP）、正弦パラメータ（SP）及び雑音パラメータ（NP）それぞれを生成するための過渡成分源３１、正弦成分源３２及び雑音成分源３３と、パニング・パラメータ（PP）を生成するための任意のパニング源３４とを備える。同様に、第２のパラメータ源82（音声V２）は、過渡パラメータ（TP）、正弦パラメータ（SP）及び雑音パラメータ（NP）それぞれを生成するための過渡成分35、正弦成分源36及び雑音成分源37と、パニング・パラメータ（PP）を生成するための（任意の）パニング源38とを備える。
【００５０】
音声合成器2’は、第１の過渡成分生成器（TG）５１と、第１の正弦成分生成器（SG）５２と、第１の雑音成分生成器（NG）５３とを備える第１の生成器ブロック４７、及び、第２の過渡成分生成器（TG）５４と、第２の正弦成分生成器（SG）５５と、第２の雑音成分生成器（NG）５６とを備える第２の生成器ブロック４８を更に備える。第１の生成器ブロック４７が、第１の合成装置６１によって第１の（左）音出力チャンネルLに合成される音声信号を生成する一方、第２の生成器ブロック４８は、第２の合成装置６２によって第２の（右）音出力チャンネルRに合成される音声信号を生成する。
【００５１】
音出力チャンネルL及びRはそれぞれ、２つの音入力チャンネル（又は「音声」）V1及びV2から来る音を含んでいる。更に、図３に示す音入力チャンネル及び音出力チャンネルの数は例示的なものに過ぎず、3つ以上の音入力チャンネル及び／又は３つ以上の音出力チャンネルが存在し得る。
【００５２】
音パラメータは生成器に一連の重み付け装置３９乃至４４によって配信される。例えば、第１の重み付け装置３９を第１の過渡パラメータ源３１に結合し、第１の過渡生成器５１及び第２の過渡生成器５４に結合して第１の音声V1の過渡パラメータを２つのチャンネルL及びRを介して配信する。第１の重み付け装置３９は、所定の重み付け係数（例えば、0.5及び0.5、又は0.4及び0.6）を用いることができるが、第１の音声V1の（任意の）パニング装置３４によって生成されるパニング・パラメータ（PP）によって制御することもできる。このようにして、パラメータは全て、生成器全てを介して配信される。
【００５３】
図３の合成器2’は比較的複雑であり、より多くの音入力チャンネル及び／又は音出力チェンネルが追加されるとその複雑度はかなり増大する。いわゆる5.1サウンド・システムの場合、６つの生成器ブロック（合計18個の生成器）が必要になる。これは明らかに望ましくない。
【００５４】
本発明による合成器は、図４に非限定的な例として略示する。本発明の合成器２は更に、第１のパラメータ源８１及び第２のパラメータ源８２を備える。第１のパラメータ源８１（音声V1）は、過渡パラメータ（TP）と、正弦パラメータ（SP）、及び雑音パラメータ（NP）それぞれを生成する過渡成分源３１と、正弦成分源３２と、雑音成分源３３、及び、パニング・パラメータ（PP）を生成するための任意のパニング源３４を備える。同様に、第２のパラメータ源82（音声V２）は、過渡パラメータ（TP）、正弦パラメータ（SP）及び雑音パラメータ（NP）それぞれを生成するための過渡成分源35、正弦成分源36及び雑音成分源37と、パニング・パラメータ（PP）を生成するための（任意の）パニング源38とを備える。
【００５５】
しかし、従来技術の合成器2’と対照的に、図４に示す本発明の合成器２は、複数の生成器ブロック（図３における４７及び４８）を有しない。その代わり、合成器２は、２つの正弦成分生成器（SG）５２及び５５（図３のように出力音チャンネル毎に１つ）を有するが、単一の雑音成分生成器（NG）５８及び単一の過渡成分生成器（TG）５９を有する。過渡成分源３１及び３５からの過渡パラメータ（TP）は、単一の過渡成分生成器（TG）５９に供給される。過渡成分生成器（TG）５９は両方のチャンネルの過渡信号を生成する。
同様に、雑音成分源３３及び３７からの雑音パラメータは信号雑音生成器（NG）５８に供給され、信号雑音生成器（NG）５８は両方のチャンネルの雑音信号を生成する。チャンネル毎に、そのチャンネルの雑音信号及び過渡信号を合成するために、更なる合成装置６３及び６５それぞれを設ける。次いで、合成装置６３と合成装置６１との間、及び合成装置６５と合成装置６２との間それぞれに結合されたレベル調節装置６４及び６５それぞれによって各チャンネルのサウンド・レベルを調節することができる。レベル調節装置６４及び６６は、パニング制御（ＰＣ）装置５７から重み付け信号を受信することができるか、又は、固定の所定重み付け係数を施すよう構成することができる。
【００５６】
（単一の、任意の）パニング制御（ＰＣ）装置５７は、音声Ｖ１及びＶ１のパニング・パラメータ（ＰＰ）をパニング装置３４及び３８から受信する。装置５７は、前述のパニング・パラメータを、適切なパニング制御信号に変換する。これは、レベル調節（又は重み付け）装置６４及び６６、並びに、正弦成分生成器５２及び５５に供給して出力サウンド・レベルを制御し、それによって、出力音の方向を決定する。
【００５７】
図３及び図４を比較すれば、図４の合成器２が図３の従来技術の合成器2’よりもずっと単純であることは明らかである。更に、本発明の合成器２を容易に改変して、その複雑度をあまり増大させることなく、より多くの入力音チャンネル及び／出力音チャンネルを含めることが可能である。雑音成分生成器（ＮＧ）及び過渡成分生成器（ＴＧ）の数は増えない。前述の生成器は、出力チャンネル間で共有されるからである。出力チャンネル毎の関連した合成装置及び重み付け装置に加えて、正弦成分生成器の数のみを増加させればよい。
【００５８】
パニング・パラメータ（PP）装置３４及び３８、パニング制御装置５７、並びにレベル調節装置６４及び６６は任意であり、本発明は前述の装置なしで実施することができる。しかし、前述の装置は、本発明の好ましい実施例において存在する。
【００５９】
更に、パラメータ源３１乃至３８は合成器２の外部にあり得る。すなわち、過渡パラメータ、正弦パラメータ、雑音パラメータ及び／又はパニング・パラメータを受信する、本発明による合成器を想定することが可能である。その入力端子はその場合、パラメータ源３１乃至３８を構成する。特定の実施例では、過渡パラメータ、及び合成器の関連した成分を省略することができ、雑音成分及び正弦成分のみを生成するよう合成器が構成される。他の実施例では、雑音生成器のみが出力チャンネル間で共有される一方で、複数の過渡生成器を設けることができる。
【００６０】
出力チャンネル間で生成器を共有する一方で音の局所化を向上させるために、後処理装置（フィルタや遅延線など）を加えることができる。このようにして、改良された方向処理（パニング）が達成される。これは、フィルタリング（通常、HRTF(頭部関連伝達関数（周知である）)を用いる）し、限定数のチャンネルにマッピングすることによって位置特定が達成される３D（3次元）音を生成する場合に特に効果的であり得る。
【００６１】
他の後処理動作（例えば、残響効果及びコーラス効果を加える）を行うことができる。合成音声信号の正弦成分にのみ残響を施すことによって、残響効果の削減がほとんど知覚できない一方で合成器の複雑度がかなり削減される。
【００６２】
前述の通り、本発明の合成器は、ステレオ・アプリケーションに限定されず、３つ以上のチャンネル（例えば、5.1サウンド・システムの場合）を有するマルチチャンネル・アプリケーションに用いることもできる。パラメータの処理は好ましくは、時間部分毎に実行され、各パラメータは、特定の時間部分（例えば、フレーム）の信号タイプ（雑音、過渡又は正弦）を規定する。
【００６３】
本発明は、スペクトル・ドメインにおいて効率的に合成することが可能であるのは正弦成分のみであるという洞察に基づいている。本発明は、正弦信号成分の方向に対してよりも過渡信号成分及び雑音信号成分の方向に対して人間の耳の感度が低いという更なる洞察に基づいている。本明細書及び特許請求の範囲記載の語は何れも、本発明の範囲を限定するものと解されるべきでない。特に、「comprise(s)」及び「comprising」の語は、明記していない如何なる構成要素も除外することを意味するものでない。単一の（回路）要素は、複数の（回路）要素によって、又はそれらの均等物によって置き換えることができる。
【００６４】
本発明が前述の実施例に限定されるものでなく、特許請求の範囲記載の本発明の範囲から逸脱しない限り、多くの修正及び追加を行うことができることを当業者は理解するであろう。
【図面の簡単な説明】
【００６５】
【図１】従来技術によるパラメトリック・ステレオ復号器を略示した図である。
【図２】本発明によるパラメトリック・ステレオ復号器を略示した図である。
【図３】従来技術によるパラメトリック・ステレオ合成器を略示した図である。
【図４】本発明によるパラメトリック・ステレオ合成器を略示した図である。
【国際調査報告】
2009500669.tif 000007
2009500669.tif 000008
2009500669.tif 000009